(57)【要約】【課題】落下等によりロータリースイッチへの衝撃を緩和する携帯無線機であって、ロータリースイッチの設置位置の制限がなく、かつユーザの操作性を損なわないようにすること。【解決手段】ロータリースイッチ２２は、特定の機能のＯＮ／ＯＦＦ又は切替え動作を行うスイッチ本体３１と、スイッチ本体３１に回転駆動力を伝達するシャフト３２と、シャフト３２に取り付けてユーザが回転操作を行うキャップ３３を有する。シャフト３２は、スイッチ本体３１側の中央部３２ｂの径に対し先端部３２ａの径を細く形成し、中央部３２ｂにおいてキャップ３３と係合するとともに、先端部３２ａにおいてキャップ３３との間に空間部分３４を生成した構成とする。【選択図】図２
2012070129.tif 000002
【特許請求の範囲】
【請求項１】
無線通信により相手先機器との送受信を行う携帯無線機において、
当該携帯無線機の筐体にはユーザが回転操作を行うロータリースイッチを設け、
該ロータリースイッチは、特定の機能のＯＮ／ＯＦＦ又は切替え動作を行うスイッチ本体と、該スイッチ本体に回転駆動力を伝達するシャフトと、該シャフトに取り付けてユーザが回転操作を行うキャップを有し、
前記シャフトは、前記スイッチ本体側の中央部の径に対し先端部の径を細く形成し、該中央部において前記キャップと係合するとともに、該先端部において前記キャップとの間に空間部分を生成していることを特徴とする携帯無線機。
【発明の詳細な説明】
【技術分野】
【０００１】
本発明は、業務用無線通信等に使用される携帯無線機に係り、特に、機器落下時等における耐衝撃性の優れた構造に関する。
【背景技術】
【０００２】
従来の業務用無線通信等に使用される携帯無線機１は、例えば図４に示す外観形状となっている。すなわち、機器前面にはスピーカ１１、ディスプレイ１２、操作キー１３が配置される。また機器上部には、アンテナを接続するアンテナ接続部１４ａ、チャンネルの選択を行うチャンネルスイッチ１５、電源スイッチと音量調整を兼ねたボリューム１６を設けている（例えば特許文献１参照）。
【０００３】
業務用の携帯無線機は、工事現場や災害現場などの過酷な環境で使用可能とするために、堅牢性、防水性、操作性などの向上が要求される。例えば図４に示す携帯無線機１においては、チャンネルスイッチ１５とボリューム１６は、ユーザが操作するロータリー式構造のスイッチである。これらのスイッチには、堅牢性については、機器落下時などに破損することのないように外部からの衝撃を緩和する構造とし、操作性については、手袋を付けていても操作が確実に行える構造が求められる。
【先行技術文献】
【特許文献】
【０００４】
【特許文献１】特開２０１０−６８３３４号公報
【発明の概要】
【発明が解決しようとする課題】
【０００５】
携帯無線機の耐衝撃性を向上させる方法として、スイッチ類の設置位置の最適化が考えられる。例えば図４に示す携帯無線機においては、チャンネルスイッチ１５をアンテナ接続部１４に近接して配置している。この構造によれば、アンテナ接続部１４に接続されたアンテナが落下時の壁になることで、チャンネルスイッチ１５への衝撃を緩和することができる。しかしながら、ボリューム１６はアンテナ（アンテナ接続部１４ａ）から離れた位置に配置されているので、チャンネルスイッチ１５と比較してアンテナによる保護効果は少なくなる。すなわち、保護しようとする部品（スイッチ）を常にアンテナ接続部１４ａに近接して配置せねばならず、部品の配置が制限される。さらに、複数の部品、例えばチャンネルスイッチ１５とボリューム１６の両方を保護したい場合には、対応が困難となる。
【０００６】
耐衝撃性を向上させる他の方法として、設置位置は変えずに部品（スイッチ）のサイズ（長さ）を小さくして、落下時に受ける衝撃力（荷重）を低減することも有効である。しかしながら、スイッチ類のサイズを小さくすることは携帯無線機に対する操作性が悪化することになる。図４におけるチャンネルスイッチ１５やボリューム１６は、いずれもロータリー式のスイッチであるので、つまみが小さくなるとユーザが手袋を付けての操作が困難となる。
【０００７】
本発明の目的は、上記した課題を鑑み、落下等によりロータリースイッチへの衝撃を緩和する携帯無線機であって、ロータリースイッチの設置位置の制限がなく、かつユーザの操作性を損なわない携帯無線機を提供することにある。
【課題を解決するための手段】
【０００８】
本発明は、無線通信により相手先機器との送受信を行う携帯無線機であって、当該携帯無線機の筐体にはユーザが回転操作を行うロータリースイッチを設け、該ロータリースイッチは、特定の機能のＯＮ／ＯＦＦ又は切替え動作を行うスイッチ本体と、該スイッチ本体に回転駆動力を伝達するシャフトと、該シャフトに取り付けてユーザが回転操作を行うキャップを有し、前記シャフトは、前記スイッチ本体側の中央部の径に対し先端部の径を細く形成し、該中央部において前記キャップと係合するとともに、該先端部において前記キャップとの間に空間部分を生成した構成とする。
【発明の効果】
【０００９】
本発明によれば、落下等によりロータリースイッチが破損することを防止できるとともに、ロータリースイッチの設置位置が制限されず、かつ操作性を損なうことがない携帯無線機を提供できる。
【図面の簡単な説明】
【００１０】
【図１】本発明による携帯無線機の一実施例を示す全体構成図。
【図２】図１における第２のロータリースイッチ２２の詳細図。
【図３】本実施例の携帯無線機の耐衝撃性の向上を説明する図。
【図４】従来の携帯無線機の一例を示す外観図。
【発明を実施するための形態】
【００１１】
以下、本発明の実施の形態について図面を参照して説明する。
図１は、本発明による携帯無線機の一実施例を示す全体構成図である。
携帯無線機１の筐体１０の前面には、スピーカ１１、ディスプレイ１２、操作キー１３が配置される。また筐体１０の上部には、相手先機器との送受信を行うアンテナ１４、チャンネルの選択を行う第１のロータリースイッチ２１と、電源スイッチのＯＮ／ＯＦＦと音量調整ボリュームを兼ねる第２のロータリースイッチ２２を設けている。なお、アンテナ１４はアンテナ接続部１４ａに接続した状態を示す。第１のロータリースイッチ２１は、筐体１０の上部中央でアンテナ１４に近接した位置に設置している。第２のロータリースイッチ２２は、筐体１０の上部右端で、アンテナ１４から離れた位置に設置している。第１のロータリースイッチ２１と第２のロータリースイッチ２２の機能は特に限定するものではなく、両者の機能を入れ換えても構わないが、いずれも、ユーザがつまみを回転操作することにより、特定の機能のＯＮ／ＯＦＦ又は切替えを行うものとする。
【００１２】
図２は、図１における第２のロータリースイッチ２２の詳細図である。第２のロータリースイッチ２２はアンテナ１４から離れた位置に設置されているので、従来の構造では耐衝撃性に課題があったものである。
【００１３】
ロータリースイッチ２２は、ＯＮ／ＯＦＦ又は切替え動作を行うスイッチ本体３１と、該スイッチ本体３１に回転駆動力を伝達するシャフト３２と、該シャフト３２に取り付けてユーザが回転操作するつまみとなるキャップ３３を有する。キャップ３３はロータリースイッチ２２の操作を容易にするとともに、シャフト３２のほぼ全体を覆うことでロータリースイッチ２２の保護と防水の機能を有する。スイッチ本体３１は筐体１０内に収納され、シャフト３２とキャップ３３の部分が筐体１０の外側に配置される。
【００１４】
シャフト３２の形状は、スイッチ本体３１側の中央部３２ｂの径は従来のサイズのままであるが、先端部３２ａの径を中央部３２ｂの径よりも細くしている。ここに先端部３２ａの長さをＬａ、中央部３２ｂの長さをＬｂとするとき、Ｌａ：Ｌｂを略３：７の比率とするのが好適である。この比率は、衝撃を受けた場合の緩和効果（後述する）と、キャップ３３に荷重を加えた際にキャップ３３がシャフト３２から外れないことを考慮して求めたものである。キャップ３３の内周３３ａの径はシャフト中央部３２ｂの外径と等しく、中央部３２ｂの長さＬｂの部分で両者を係合させることで、キャップ３３と一体でシャフト３２が回転する。
【００１５】
本実施例におけるキャップ３３のサイズ（高さ、外径）は従来のサイズと同様とし、ユーザの操作性を確保している。図２においてキャップ３３は単純な円筒形状で示したが、操作し易さを考慮して適宜変形することも可能である。
【００１６】
なお、図面を用いた説明は省略するが、第１のロータリースイッチ２１についても第２のロータリースイッチ２２と同様の構造としても良い。すなわち、シャフトの形状は、その先端部の径を中央部の径よりも細くするとともに、キャップを取り付けてシャフトを保護している。
【００１７】
図３は、本実施例の携帯無線機における耐衝撃性の向上を説明する図である。図２に示した第２のロータリースイッチ２２において、シャフト３２にキャップ３３を取り付けた状態を示す。キャップ３３の内周３３ａはシャフト中央部３２ｂに接触しているが、シャフト先端部３２ａは径が細く形成されているので、キャップ３３との間に空間部分３４（斜線で示す領域）が生成されている。空間部分３４の縦の長さはシャフト３２の先端部３２ａの長さＬａに等しい。
【００１８】
携帯無線機１が落下するなどして、ロータリースイッチ２０に衝撃力（荷重Ｗ）が印加された場合を想定する。ここでは荷重Ｗの方向として、ロータリースイッチ２２対し破損し易い方向であるシャフト３２に直角な横方向の荷重を考える。キャップ３３が横方向の荷重Ｗを受けると、シャフト３２に対して折り曲げる力（モーメント）が発生し、破損の要因となる。
【００１９】
本実施例では、キャップ３３がシャフト３２と接触している長さは、シャフト全体ではなく中央部３２ｂの部分Ｌｂだけである。すなわち、キャップ３３が横方向の荷重Ｗを受けても、先端部３２ａに対応する空間部分３４では荷重Ｗがシャフト３２に伝達されないので、その分シャフト３２に対する曲げモーメントが小さくなり、シャフト３２およびスイッチ本体３１に対する衝撃（ダメージ）が小さくなる。すなわちこの場合の曲げモーメントはＷ×Ｌｂとなり、空間部分３４が存在しない場合の曲げモーメントＷ×（Ｌａ＋Ｌｂ）と比較して、Ｌｂ／（Ｌａ＋Ｌｂ）倍に低減する。例えば図２の構造（Ｌａ：Ｌｂ＝３：７）の場合には、衝撃を約７０％に低減する効果がある。よって、衝撃の緩和効果はＬｂ値が小さいほど有利となるが、一方でキャップ３３に荷重を加えた際にキャップ３３がシャフト３２から外れないためにはＬｂ値はある程度大きい方が良く、双方を満足する最適比率はＬａ：Ｌｂ＝３：７となる。実用的には、Ｌａ／（Ｌａ＋Ｌｂ）＝３０±５％、Ｌｂ／（Ｌａ＋Ｌｂ）＝７０±５％とすれば、所望の効果を得ることができる。
【００２０】
本実施例の効果は、第１のロータリースイッチ２１についても同様に得られる。さらに第１のロータリースイッチ２１の場合はアンテナ１４に近接して設置されているので、アンテナ１４を壁にすることで衝撃を緩和する効果が重畳され、一層の耐衝撃性の向上を図ることができる。
【００２１】
このように、本実施例の携帯無線機では、ロータリースイッチのシャフトの先端部を細くし、これにキャップを取り付ける構造としたので、キャップとシャフト先端部の間に空間部分が生成される。この空間部分の作用で、落下時に受ける衝撃力を緩和し、ロータリースイッチが破損することを防止できる。この効果は、アンテナなどの他の部品の存在とは無関係に得られるものであるから、ロータリースイッチの設置位置が制限されることはなく、また複数のロータリースイッチを設置する場合にも支障なく適用できる。さらに、ユーザの操作するキャップは本来のサイズを確保しているので、ユーザの操作性が損なわれることがなく、とりわけ手袋を付けての操作も可能である。
【符号の説明】
【００２２】
１…携帯無線機、
１０…筐体、
１１…スピーカ、
１２…ディスプレイ、
１３…操作キー、
１４…アンテナ、
１５…チャンネルスイッチ、
１６…ボリューム、
２１…第１のロータリースイッチ、
２２…第２のロータリースイッチ、
３１…スイッチ本体、
３２…シャフト、
３２ａ…先端部、
３２ｂ…中央部、
３３…キャップ、
３４…空間部分。
【図１】
2012070129.tif 000003
【図２】
2012070129.tif 000004
【図３】
2012070129.tif 000005
【図４】
2012070129.tif 000006